(57)【要約】【課題】組み立てを容易にしたころ軸受用保持器を提供する。【解決手段】本発明に係る保持器付きころ軸受は、外輪と内輪ところと保持器を有し、前記保持器は、軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記保持器のポケットの側面側のリムと転動体側面との内、一方に凸部を有し、他方に凹部を有することを特徴とする。【選択図】図１
2012052559.tif 000002
【特許請求の範囲】
【請求項１】
外輪と内輪ところと保持器を有する保持器付きころ軸受において、前記保持器は、軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記保持器のポケットの側面側のリムと転動体側面との内、一方に凸部を有し、他方に凹部を有することを特徴とする保持器付きころ軸受。
【発明の詳細な説明】
【技術分野】
【０００１】
本発明は、保持器付きころ軸受に関する。
【背景技術】
【０００２】
従来から各種回転機械装置の回転支持部に、転がり軸受が組み込まれている。大きな荷重が加わる回転支持部を構成する為の転がり軸受としては、転動体としてころ（例えば円筒ころ、円すいころ）を使用した保持器付ころ軸受が使用されている。図５は、この様な保持器付ころ軸受の１例として、例えばスクリューコンプレッサーのロータ支持部に組み込む、保持器付円筒ころ軸受１を示している。この保持器付円筒ころ軸受１は、内周面の軸方向中間部に円筒面状の外輪軌道２を有する外輪３と、外周面の軸方向中間部に円筒面状の内輪軌道４を有する内輪５と、これら外輪軌道２と内輪軌道４との間に軸受用保持器６により保持した状態で転動自在に設けられた、複数の円筒ころ７とから成る。
【０００３】
図６（Ａ）の上部の図は、図５の軸受用保持器をＡ方向から見た断面図である。上記軸受用保持器６は、図６に示す様に、所謂籠型保持器と呼ばれるもので、軸方向に間隔をあけて互いに同心に配置された、それぞれが円環状である１対のリム６１、６１と、これら両リム６１、６１
同士の間に掛け渡された複数本の柱６２、６２とから成る。そして、これら両リム６１、６１の内側面と円周方向に隣り合う柱６２ 、６２の円周方向側面とにより四周を囲まれた部分を、それぞれポケット６３、６３としている。ポケット６３，６３間の各柱６２の側面は、円筒ころ７の外径面に沿った円筒面状に形成し、円筒ころ７がポケット６３の開口から落ちないようにしてある。したがって、ポケット６３のころ入口となる開口部の幅寸法Ｃは、円筒ころ７の外径寸法Ｄよりも小さくなっている。組立に際して、円筒ころ７は、白矢印で示すように、軸受用保持器６の内径側からポケット６３内に押し込み、軸受用保持器６の樹脂の持つ弾性で柱６２を撓ませて円筒ころ７の進入を可能とする。
【０００４】
このように、円筒ころ７を押し込んでポケット６３内に入れるため、開口部の幅寸法Ｃと、ころ外径Ｄの寸法差が大きくなると、円筒ころ７が軸受用保持器６に入り難い。なお、開口幅寸法Ｃを大きくすると、円筒ころ７は入り易くなる。しかし、軸受の組立時に円筒ころ７がポケット６３から落下し易くなる。特に、スクリューコンプレッサーのロータ支持部に、ころ軸受１を組み込む場合、外輪３と内輪５を別々に組み込む場合もあり、円筒ころ７の落下する状況が発生し易いので、開口幅寸法Ｃを大きくすることは好ましくない。
【０００５】
この部分の改善の先行技術としては、例えば特許文献１がある。これは、図７に示した様に、各ポケット６３間の柱６４の軸方向の一部に、断面を他の部分よりも小さくした幅狭部６４ａを設けることにより、柱６４を撓ませ易くしているものである。
【先行技術文献】
【特許文献】
【０００６】
【特許文献１】特開平８−２９６６５２号公報
【発明の概要】
【発明が解決しようとする課題】
【０００７】
しかしながら、特許文献１に記載のころ軸受の様に、各ポケット６３間の柱６４の軸方向の一部に、断面を他の部分よりも小さくした幅狭部６４ａを設けることのみでは、隣のポケット６３に既に転動体７が組み込まれている場合、撓んだ柱６４が隣に組み込まれている転動体７に干渉する為、柱６４が撓み難い場合もあり、組立容易性の面で改善の余地がある。また、図８や図９の様に、保持器の柱６５Ａに凸部６６Ａを設ける事も出来るが、隣のポケットに既に転動体が組み込まれている場合は、前記と同様の理由にて、組立容易性の面で改善の余地がある。
【０００８】
本発明は、前述した課題に鑑みてなされたものであり、その目的は、組み立てを容易にしたころ軸受用保持器を提供することにある。
【課題を解決するための手段】
【０００９】
前記課題を解決するため、本発明は次のような構成からなる。すなわち、本発明に係る保持器付きころ軸受は、外輪と内輪ところと保持器を有し、前記保持器は、軸方向に間隔をあけて互いに同心に配置された、それぞれが円環状である１対のリムと、これら両リム同士の間に掛け渡された複数本の柱とから成り、これら両リムの内側面と円周方向に隣り合う柱の円周方向側面とにより四周を囲まれた部分を、それぞれポケットとし、前記保持器のポケットの側面側のリムと転動体側面との内、一方に凸部を有し、他方に凹部を有することを特徴とする。
【発明の効果】
【００１０】
本発明によれば、前記保持器のポケットの側面側のリムと転動体側面との内、一方に凸部を有し、他方に凹部を有することにより、保持器からころを外れ難く出来、保持器の柱に掛かる負担の割合を抑制出来るので、隣のポケットに既に転動体が組み込まれている場合でも、当該ポケットに、ころを組み立て易くなる。
【図面の簡単な説明】
【００１１】
【図１】本発明に係る保持器付きころ軸受の第1実施形態の断面図
【図２】本発明に係る保持器付きころ軸受の第１実施形態の保持器の部分斜視図
【図３】本発明に係る保持器付きころ軸受の第２実施形態の断面図
【図４】従来の保持器付きころ軸受の内輪を組立てる時の模式的断面図
【図５】従来の保持器付きころ軸受の断面図
【図６】（Ａ）従来の保持器付きころ軸受のころ押込み過程を示す部分断面図、（Ｂ）は同保持器の部分平面図
【図７】従来の保持器付きころ軸受用保持器の部分平面図
【図８】従来の保持器付きころ軸受用保持器の斜視図
【図９】従来の保持器付きころ軸受用保持器の部分斜視図
【発明を実施するための形態】
【００１２】
以下、本発明に係る保持器付きころ軸受１の各実施形態について図面を参照して説明する。
＜第１実施形態＞
図１に示すように、本実施形態の保持器付きころ軸受１は、外輪３と内輪５ところ７１と保持器６Aを有する。前記保持器６Aは、例えば樹脂からなる。樹脂材料としては、６６ナイロンを用いることが出来るが、高温強度や耐熱性に優れる４６ナイロンを用いることが好ましい。また、例えば、スクリューコンプレッサーのロータ支持部の様に、耐摩耗性や耐油性や耐熱性が求められる用途においては、耐摩耗性や耐油性や耐熱性に優れた直鎖型ポリフェニレンサルファイドを用いることがより好ましい。また、本発明に係る保持器付きころ軸受用の保持器６Aは、例えば図２に示すように、軸方向に間隔をあけて互いに同心に配置された、それぞれが円環状である１対のリム６７、６７と、これら両リム同士の間に掛け渡された複数本の柱６５から成る。また、これら両リムの内側面と円周方向に隣り合う柱の円周方向側面とにより四周を囲まれた部分を、ポケット６３としている。また、前記柱６５の両ポケット側の側面には、各２箇所、計４箇所の凸部６６、６６、６６、６６が設けられている。前記凸部６６は、図示しないころの外径面に沿った円筒面状に形成され、ころがポケット６３の円周方向の開口から落ち難いようにしてある。したがって、ポケット６３のころ入口となる開口部の幅寸法は、ころの外径寸法よりも小さくなっている。また、図１では、前記保持器のポケットの側面側の両側のリムに各１個の凸部６７Ａを有し、転動体である円筒ころ７１の両側面に皿状の凹部７２を有する。各円筒ころ７１は、前記リムの凸部６７Ａの２箇所と前記凸部６６の４箇所の計６箇所で支持することにより、ポケットの開口から落ちない様にしている。その為、図２のポケット６３の円周方向の開口部の寸法は、図９の円周方向の開口部の寸法よりも、大きくなっているので、図２の柱６５に掛かる負担は、図９の柱６５Ａに掛かる負担より小さくなっている。この様に、一方に凸部、他方に凹部を有することにより、保持器からころを外れ難く出来、保持器の柱に掛かる負担の割合を抑制出来るので、隣のポケットに既に転動体が組み込まれている場合でも、当該ポケットに、ころを組み立て易くなる。
【００１３】
＜第２実施形態＞
次に、図３と図４を参照して第２の実施形態について説明する。なお、第１実施形態と同一又は同等部分は説明を簡略化又は省略する。従来、図４の様に内輪５を矢印の方向に組み込む前に、ころ７が傾いていると内輪５を組込み難い場合があった。しかし、図３の保持器付きころ軸受では、保持器６Ｂの凸部６８Ａが、外輪３の方向に寄っており、凸部６８Ａが円筒ころ７１を支えるので、内輪５を組み込む前に、ころ７１が、傾き難く、内輪を組込み易くなる。
【００１４】
なお、上述の実施形態は本発明の一例を示したものであって、本発明はこれらの実施形態に限定されるものではない。本発明の主旨を外れない限り、他の実施形態にも適用出来る。すなわち、凸部６７Aや凸部６８Ａや凸部６６の位置や形状や大きさや数は、本発明の趣旨を外れず保持器の強度や耐久性を損なわない限り変更することが可能であり、例えば、凸部６７Aや凸部６８Ａの形状は、円錐や円筒や多角錐や多角柱、断面が楕円や半円や三日月の柱形状や錐形状にすることが可能である。
【符号の説明】
【００１５】
１        保持器付円筒ころ軸受
２        外輪軌道
３        外輪
４        内輪軌道
５        内輪
６        保持器付きころ軸受用保持器
６Ａ      第1実施形態の保持器付きころ軸受用保持器
６Ｂ      第２実施形態の保持器付きころ軸受用保持器
７        円筒ころ
６１      リム
６２      柱
６３      ポケット
６４      柱
６４ａ    幅狭部
６５      柱
６６      凸部
６６Ａ    凸部
６７      リム
６７Ａ    凸部
６８      リム
６８A   
凸部
７１      円筒ころ
７２      凹部
【図１】
2012052559.tif 000003
【図２】
2012052559.tif 000004
【図３】
2012052559.tif 000005
【図４】
2012052559.tif 000006
【図５】
2012052559.tif 000007
【図６】
2012052559.tif 000008
【図７】
2012052559.tif 000009
【図８】
2012052559.tif 000010
【図９】
2012052559.tif 000011